(57)【要約】【課題】緩衝材設置時の作業者の安全を確保することができ、緩衝材設置の作業効率を向上させ、作業時間の短縮化を図ることができる輸送用緩衝材を提供する。【解決手段】輸送用緩衝材は、剛性を有する略矩形の平板状の基板と、伸縮性を有し基板に巻設されたバンドと、基板に一体的に重畳されるようにこの基板とバンドとの間に挿入され、衝撃吸収性を有する少なくとも１つの略矩形の平板状の緩衝部材とを備えている。バンドは、基板に横方向に巻設される胴回り部と、胴回り部から基板の上端を介して胴回り部へと基板に斜め縦方向に巻設される第１の部分及び胴回り部から基板の上端を介して胴回り部へと基板に斜め縦方向に巻設される第２の部分からなり、第１の部分及び第２の部分が基板の上端の近傍で互いに交差するように構成されている襷掛け部とを備えている。【選択図】図１
2020026285.tif 000002
【特許請求の範囲】
【請求項１】
剛性を有する略矩形の平板状の基板と、伸縮性を有し前記基板に巻設されたバンドと、前記基板に一体的に重畳されるように前記基板と前記バンドとの間に挿入され、衝撃吸収性を有する少なくとも１つの略矩形の平板状の緩衝部材とを備えており、
前記バンドは、前記基板に横方向に巻設される胴回り部と、前記胴回り部から前記基板の前記上端を介して前記胴回り部へと前記基板に斜め縦方向に巻設される第１の部分及び前記胴回り部から前記基板の前記上端を介して前記胴回り部へと前記基板に斜め縦方向に巻設される第２の部分からなり、前記第１の部分及び前記第２の部分が前記基板の上端の近傍で互いに交差するように構成されている襷掛け部とを備えていることを特徴とする輸送用緩衝材。
【請求項２】
前記緩衝部材が前記基板より短い縦方向長さを有しており、前記バンドの前記胴回り部が前記基板の下端から縦方向に所定長さだけ高い位置で前記基板に巻設されていることを特徴とする請求項１に記載の輸送用緩衝材。
【請求項３】
前記所定長さが、パレットの高さより大きい長さであることを特徴とする請求項２に記載の輸送用緩衝材。
【請求項４】
前記緩衝部材が、前記基板の両面と前記バンドの前記襷掛け部との間にそれぞれ挿入される２つの発泡樹脂製緩衝部材であることを特徴とする請求項１から３のいずれか１項に記載の輸送用緩衝材。
【請求項５】
前記緩衝部材が、前記基板の片面と前記バンドの前記襷掛け部との間に挿入される１つの発泡樹脂製緩衝部材であることを特徴とする請求項１から３のいずれか１項に記載の輸送用緩衝材。
【請求項６】
前記胴回り部と前記襷掛け部とが、縫製により互いに固着されていることを特徴とする請求項１から５のいずれか１項に記載の輸送用緩衝材。
【請求項７】
前記襷掛け部の前記第１の部分及び前記第２の部分が、前記上端近傍において縫製により互いに固着されていることを特徴とする請求項１から６のいずれか１項に記載の輸送用緩衝材。
【請求項８】
前記基板が、剛性を有する木製又は樹脂製の平板であることを特徴とする請求項１から７のいずれか１項に記載の輸送用緩衝材。
【請求項９】
前記バンドが、ポリウレタン繊維を含む伸縮性材料からなることを特徴とする請求項１から８のいずれか１項に記載の輸送用緩衝材。
【発明の詳細な説明】
【技術分野】
【０００１】
本発明は、複数の荷物を輸送する際に、荷物間の隙間に挿入して荷物の破損を防止するための輸送用緩衝材に関する。
【背景技術】
【０００２】
トラック等の貨物輸送手段で荷物を輸送する場合、荷物を載せたパレットを荷台上に複数積載することが行われる。その場合、荷物同士が互いに衝突して破損が生じることを防止するため、パレット間や荷物間の隙間に平板状の緩衝材を挿入することが行われている。
【０００３】
従来の緩衝材としては、特許文献１及び２に記載されているように、発泡ポリスチレン等の発泡樹脂を平板状に成型した樹脂成型平板が用いられていた。
【０００４】
例えば、特許文献１に記載されている緩衝材は、荷物の間に挿入される際の荷物に沿う表面及び裏面の外周に沿って凹部が設けられた樹脂成型平板で構成されている。特許文献２に記載されている緩衝材は、荷物に沿う主面以外の面である側面の少なくとも一方に、この側面から内方に延び、かつ作業者の指あるいは手が挿入可能な孔が形成されている樹脂成型平板から構成されている。
【先行技術文献】
【特許文献】
【０００５】
【特許文献１】特開２００３−２００９６１号公報
【特許文献２】特開２０１５−０９３７２１号公報
【発明の概要】
【発明が解決しようとする課題】
【０００６】
上述したように、従来の緩衝材は、樹脂成型平板から構成されているので壊れ易く、特に、パレット間に挟まれると簡単に破壊されてしまう。このため、荷物を積載したパレットをフォークリフト等で押し込む際には、緩衝材がパレット間に挟まれず荷物間の隙間に適切に配置されるように、荷物積載中、作業者（ドライバー）がこの緩衝材を手で支持しておく必要があった。
【０００７】
しかしながら、作業者が緩衝材を手で支持しながら荷物の積み込みやパレットの移動を行うと、指を挟まれたりする怪我や事故が発生し易く、緩衝材の設置を安全に行うことが困難であった。また、パレットを移動している際に手で持った緩衝材を最適な位置に設置することは難しく、積載のやり直しを繰り返すこと等により作業効率が悪化し、作業時間が長くなるという問題が生じていた。
【０００８】
従って本発明の目的は、緩衝材設置時の作業者の安全を確保することができる輸送用緩衝材を提供することにある。
【０００９】
本発明の他の目的は、緩衝材設置の作業効率を向上させ、作業時間の短縮化を図ることができる輸送用緩衝材を提供することにある。
【００１０】
本発明のさらに他の目的は、組立が容易でありかつ緩衝部材の交換が容易な輸送用緩衝材を提供することにある。
【課題を解決するための手段】
【００１１】
本発明によれば、輸送用緩衝材は、剛性を有する略矩形の平板状の基板と、伸縮性を有し基板に巻設されたバンドと、基板に一体的に重畳されるようにこの基板とバンドとの間に挿入され、衝撃吸収性を有する少なくとも１つの略矩形の平板状の緩衝部材とを備えている。バンドは、基板に横方向に巻設される胴回り部と、胴回り部から基板の上端を介して胴回り部へと基板に斜め縦方向に巻設される第１の部分及び胴回り部から基板の上端を介して胴回り部へと基板に斜め縦方向に巻設される第２の部分からなり、第１の部分及び第２の部分が基板の上端の近傍で互いに交差するように構成されている襷掛け部とを備えている。
【００１２】
衝撃吸収性を有する平板状の緩衝部材が剛性を有する平板状の基板にバンドで一体的に重畳されているため、荷物の積み込みやパレットの移動を行う際に、輸送用緩衝材をパレット間に立て掛けておくだけで作業者が手で支持する必要がなく、従って、指を挟まれたりする怪我や事故が発生なく、緩衝材設置時の作業者の安全を確保することができる。また、パレットを移動している際に輸送用緩衝材をパレット間に立て掛けておくだけで良いため、一度で最適な位置に設置することができ、設置のやり直しが不要となり、緩衝材設置の作業効率が向上し、作業時間の短縮化を図ることができる。さらに、基板と緩衝部材とが一体的に重畳された構造であるにもかかわらず、緩衝部材をバンドの襷掛け部と基板との間に挿入すれば輸送用緩衝材が完成するため、組立が非常に容易であり、しかも、緩衝部材の交換が極めて容易である。
【００１３】
緩衝部材が基板より短い縦方向長さを有しており、バンドの胴回り部が基板の下端から縦方向に所定長さだけ高い位置で基板に巻設されていることが好ましい。
【００１４】
この場合の所定長さが、パレットの高さより大きい長さであることがより好ましい。
【００１５】
緩衝部材が、基板の両面とバンドの襷掛け部との間にそれぞれ挿入される２つの発泡樹脂製緩衝部材であることも好ましい。
【００１６】
緩衝部材が、基板の片面とバンドの襷掛け部との間に挿入される１つの発泡樹脂製緩衝部材であることも好ましい。
【００１７】
胴回り部と襷掛け部とが、縫製により互いに固着されていることも好ましい。
【００１８】
襷掛け部の第１の部分及び第２の部分が、上端近傍において縫製により互いに固着されていることも好ましい。
【００１９】
基板が、剛性を有する木製又は樹脂製の平板であることも好ましい。
【００２０】
バンドが、ポリウレタン繊維を含む伸縮性材料からなることも好ましい。
【発明の効果】
【００２１】
本発明によれば、荷物の積み込みやパレットの移動を行う際に、輸送用緩衝材をパレット間に立て掛けておくだけで作業者が手で支持する必要がなく、従って、指を挟まれたりする怪我や事故が発生なく、緩衝材設置時の作業者の安全を確保することができる。また、パレットを移動している際に輸送用緩衝材をパレット間に立て掛けておくだけで良いため、一度で最適な位置に設置することができ、設置のやり直しが不要となり、緩衝材設置の作業効率が向上し、作業時間の短縮化を図ることができる。さらに、基板と緩衝部材とが一体的に重畳された構造であるにもかかわらず、緩衝部材をバンドの襷掛け部と基板との間に挿入すれば輸送用緩衝材が完成するため、組立が非常に容易であり、しかも、緩衝部材の交換が極めて容易である。
【図面の簡単な説明】
【００２２】
【図１】本発明の一実施形態として輸送用緩衝材の全体構成を概略的に示す斜視図である。
【図２】図１の輸送用緩衝材における緩衝部材を設ける前の基板とバンドとの構成を概略的に示す斜視図である。
【図３】図１の輸送用緩衝材におけるバンドの構成を概略的に示す斜視図である。
【図４】図１の輸送用緩衝材をパレット間に設置する手順を示す説明図である。
【発明を実施するための形態】
【００２３】
図１は本発明の一実施形態として輸送用緩衝材の全体構成を概略的に示しており、図２はこの輸送用緩衝材における緩衝部材を設ける前の基板とバンドとの構成を概略的に示しており、図３はこの輸送用緩衝材におけるバンドの構成を概略的に示している。
【００２４】
これらの図において、１０は輸送用緩衝材のベースとなる基板、１１はこの基板１０に巻設されたバンド、１２は基板１０とバンド１１との間に挿入された緩衝部材をそれぞれ示している。
【００２５】
図１及び図２に示すように、基板１０は、剛性を有する、例えば合板等の木材又は例えばポリプロピレン樹脂等の樹脂材による平板であり、略矩形形状を有している。単なる一例であるが、縦方向長さが約１８００ｍｍ、横方向長さが約９１０ｍｍ、厚さが約９〜１２ｍｍとなるように設定されている。
【００２６】
図１及び図２に示すように、緩衝部材１２は、衝撃吸収性を有する、例えばポリエチレン発泡樹脂等の発泡樹脂成型品による平板であり、略矩形形状を有している。単なる一例であるが、縦方向長さが約１２００ｍｍ、横方向長さが約９００ｍｍ、厚さが約２０〜６０ｍｍとなるように設定されている。
【００２７】
図１及び図３（Ａ）に示すように、バンド１１は、滑らない素材から構成され伸縮性を有する、帯状のスーパーストレッチバンドであり、例えばポリエステル樹脂による編み込み糸を使用し、例えばポリウレタン樹脂による繊維を伸縮部に使用している。単なる一例であるが、幅が約５０ｍｍ、厚さが約１．８ｍｍとなるように設定されている。このバンド１１は、基板１０に横方向に巻設される胴回り部１１ａと、基板１０に斜め縦方向に巻設される第１の部分１１ｂ及び第２の部分１１ｃからなる襷掛け部とから構成されている。
【００２８】
図１及び図２に示すように、バンド１１の胴回り部１１ａは、基板１０の下端１０ａから縦方向に所定長さＬだけ高い位置で基板１０に横方向にかなりきつめに締め付けられて巻設されている。従って、基板１０には、胴回り部１１ａの下方に縦方向長さＬの逃げ領域１０ｂが設けられる。後述するように、緩衝部材１２は、この胴回り部１１ａより上方に重畳され固定されるので、この逃げ部１０ｂには、緩衝部材１２が存在せず、基板１０のみとなる。逃げ部１０ｂの長さＬは、例えば約２７０ｍｍであり、これは、パレットの高さより充分に大きい長さに設定される。即ち、この輸送用緩衝材が実際にパレット間に挿入された際に、基板１０の逃げ部１０ｂのみがパレットに当接し、緩衝部材１２やバンド１１はパレットに接触せず、また、押圧もされない。このため、緩衝部材１２がパレットに挟まれて損傷することはなく、また、厚い緩衝部材１２がパレット間に挟まれないので、積載効率（積み付け）が悪化することはない。なお、本実施形態においては、図３（Ｂ）に示すように、この胴回り部１１ａは、縫い合わせ部１１ｄにおいて、縫製により互いに固着されて環状に形成されている。単なる一例であるが、この胴回り部１１ａの周方向長さが約１５００ｍｍとなるように設定されている。
【００２９】
図１、図２及び図３（Ａ）に示すように、バンド１１の襷掛け部は、胴回り部１１ａの第１の点から基板１０の上端１０ｃを通って胴回り部１１ａの第２の点へとこの基板１０に斜め縦方向に巻設される第１の部分１１ｂと、胴回り部１１ａの第３の点から基板１０の上端１０ｃを通って胴回り部１１ａの第４の点へとこの基板１０に斜め縦方向に巻設される第２の部分１１ｃとから構成されている。第１の部分１１ｂ及び第２の部分１１ｃは、基板１０の上端１０ｃの位置で互いに交差している。図３（Ｃ）に示すように、本実施形態においては、これら第１の部分１１ｂ及び第２の部分１１ｃは、この交差部において、例えば１ライン１１ｅで縫製され、互いに固着されている。バンド１１の第１の部分１１ｂ及び第２の部分１１ｃの両端部は、第１〜第４の点の４箇所において、胴回り部１１ａに、本実施形態においては縫製により固着されている。図３（Ｄ）は第２の部分１１ｃの一端部が縫い合わせ部１１ｆにおいて、縫製により胴回り部１１ａと固着されている状態を示している。この場合、胴回り部１１ａの内側に第１の部分１１ｂ及び第２の部分１１ｃの両端部が固着されるように構成されている。単なる一例であるが、襷掛け部の第１の部分１１ｂ及び第２の部分１１ｃの各々の長さが、約３１００ｍｍとなるように設定されている。
【００３０】
次に、本実施形態の輸送用緩衝材の組立について説明する。
【００３１】
まず、前述した基板１０と、図３に示すように胴回り部１１ａ及び襷掛け部を有するバンド１１と、２つの緩衝部材１２とを用意する。この基板１０に、図２に示すように、バンド１１を装着する。次いで、バンド１１の上部（交差部近傍）の１箇所を掴み、基板１０との間に隙間を空けたところへ、緩衝部材１２を挿入する。この場合、バンド１１が交差しているため、片手でバンド１１を掴むことのみで、比較的厚い（約２０〜６０ｍｍ厚の）緩衝部材１２を容易に挿入することができる。これにより、図１に示すように、緩衝部材１２は、基板１０とバンド１１の襷掛け部との間に挿入され、基板１０と一体的に重畳されるように固定される。また、バンド１１の胴回り部１１ａがかなりきつめに締め付けられているため、緩衝部材１２はこれより下方に脱落することがない。同様に、基板１０の反対側の面においても緩衝部材１２を挿入し、基板１０と一体的に重畳固定させ、これにより、輸送用緩衝材の組立が完了する。このように、本実施形態では、緩衝部材１２をバンド１１の襷掛け部と基板１０との間に挿入すれば、基板１０と緩衝部材１２とがバンド１１で一体的に重畳固定され輸送用緩衝材が完成するため、組立が非常に容易であり、トラックの荷台上で組立作業することが可能である。しかも、緩衝部材１２の交換も極めて容易である。また、バンド１１が伸縮性を有するため、種々の寸法の緩衝部材１２に対して容易に組立が可能である。
【００３２】
なお、本実施形態では、２つの緩衝部材１２を基板１０の両面とバンド１１の襷掛け部との間にそれぞれ挿入して一体的に重畳固定しているが、１つの緩衝部材１２を基板１０の片面とバンド１１の襷掛け部との間に挿入し一体的に重畳固定して輸送用緩衝材を構成しても良い。
【００３３】
次に、本実施形態の輸送用緩衝材を用いた荷物の積み込み及びパレット移動について説明する。
【００３４】
トラックの荷台２０上にパレット２１に搭載した荷物２２が積み込まれた際に、図４（Ａ）に示すように、本実施形態の輸送用緩衝材２３を荷物２２に斜めに立て掛け、輸送用緩衝材２３の緩衝部材１２が荷物２２に当接するように配置する。バンド１１が滑らない素材で形成されているため、輸送用緩衝材２３を荷物２２に安定して斜めに立て掛けることができる。次いで、図４（Ｂ）に示すように、荷物２２′を搭載した次のパレット２１′がフォークリフトによって積み込まれ、このパレット２１′及び荷物２２′が矢印で示すように前のパレット２１及び荷物２２の方向に移動せしめられる。その結果、輸送用緩衝材２３の緩衝部材１２が荷物２２′によって押圧されると共に輸送用緩衝材２３の基板１０の下部（逃げ部１０ｂ）がパレット２１′によって押圧されて、図４（Ｃ）に示すように、荷物２２及び荷物２２′間の隙間に輸送用緩衝材２３の緩衝部材１２が作業者の支持無しで確実に挿入されることとなる。このように、基板１０の逃げ部１０ｂのみがパレット２１及び２１′に当接し、緩衝部材１２はパレット２１及び２１′に接触せず、また、押圧もされないので、緩衝部材１２がパレット２１及び２１′に挟まれて損傷することはなく、また、厚い緩衝部材１２がパレット２１及び２１′間に挟まれないので、積載効率（積み付け）が悪化しない。
【００３５】
以上説明したように、本実施形態の輸送用緩衝材によれば、緩衝部材１２が基板１０にバンド１１で一体的に重畳されているため、荷物の積み込みやパレットの移動を行う際に、輸送用緩衝材２３をパレット間に立て掛けておくだけで作業者が手で支持する必要がなく、従って、指を挟まれたりする怪我や事故が発生なく、輸送用緩衝材２３を設置する際の作業者の安全を確保することができる。また、パレットを移動している際に輸送用緩衝材２３をパレット間に立て掛けておくだけで良いため、輸送用緩衝材２３を一度で最適な位置に設置することができ、設置のやり直しが不要となり、輸送用緩衝材２３を設置する際の作業効率が向上し、作業時間の短縮化を図ることができる。
【００３６】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００３７】
１０  基板
１０ａ  下端
１０ｂ  逃げ部
１０ｃ  上端
１１  バンド
１１ａ  胴回り部
１１ｂ  第１の部分
１１ｃ  第２の部分
１１ｄ、１１ｆ  縫い合わせ部
１１ｅ  １ライン
１２  緩衝部材
２０  荷台
２１、２１′  パレット
２２、２２′  荷物
２３  輸送用緩衝材
【図１】
2020026285.tif 000003
【図２】
2020026285.tif 000004
【図３】
2020026285.tif 000005
【図４】
2020026285.tif 000006